(57)【要約】【課題】本発明は、指をトリガーの回動に合わせて弧状に動かす必要は全く無く操作が楽であり、且つトリガーが外部に突出するようなことがないトリガースプレーを提供すること。  【解決手段】トリガー４を回動移動させることによりピストン２を押し下げて容器に通じるシリンダー１１内の液体をピストン２の中を通してノズル口２１Ｎより噴射させるトリガースプレーＸであって、トリガー４の回動移動は該トリガー４とは別体のスライダー３を介して行うトリガースプレー。【選択図】図３
2008114103.tif 000002
【特許請求の範囲】
【請求項１】
トリガーを回動移動させることによりピストンを押して容器に通じるシリンダー内の液体をピストンの中を通してノズル口より噴射させるトリガースプレーであって、
トリガーの回動移動は該トリガーとは別体のスライダーを介して行うことを特徴とするトリガースプレー。
【請求項２】
トリガーは、容器の口部に取り付けられるベース体に形成された支柱部に回動可能に取り付けられており、該ベース体にはシリンダーが備わっていることを特徴とするトリガースプレー。
【請求項３】
トリガーの回動移動はトリガーの先端に接するスライダーを水平移動することにより行い、該スライダーはベース本体に沿って水平移動可能に取り付けられていることを特徴とするトリガースプレー。
【請求項４】
スライダーの壁面にトリガーの先端である自由端が案内されて移動するものであることを特徴とする請求項１記載のトリガースプレー。
【請求項５】
スライダーは、指を当てる指当て部と突起部を有し該突起部がベース体に形成されたスリットに装着されそれに沿って移動するものであることを特徴とする請求項１記載のトリガースプレー。
【請求項６】
ベース体に該ベース体、スライダー、トリガー、ピストンを覆うハウジングが取り付けられていること特徴とする請求項１記載のトリガースプレー。
【請求項７】
ハウジングには、ノズルを露出させるための通孔及びスライダーを露出するための切り欠き部を有し、該切り欠き部は指当て部の水平移動を許す範囲で形成されていることを特徴とする請求項１記載のトリガースプレー。
【請求項８】
ハウジングには切り欠き部の一部を塞ぐように障害板が切り離し可能に設けられており該障害板を切り離して取り除くことによりスライダーが移動可能状態となることを特徴とする請求項７記載のトリガースプレー。
【請求項９】
トリガーの先端との間にて支持柱とピストンを挟むようにバネ体が配設され、該バネ体がトリガーと一体化されていることを特徴とする請求項１記載のトリガースプレー。
【請求項１０】
ハウジングの周囲は３０ｃｍ以内とすることを特徴する請求項１記載のトリガースプレー。
【請求項１１】
上記請求項１〜１０のいずれか１項に記載のトリガースプレーを備えたスプレー容器。
【発明の詳細な説明】
【技術分野】
【０００１】
本発明は、トリガーを回動移動させることによりピストンを押し下げて容器に通じるシリンダー内の液体をノズルより噴射させるトリガースプレーに関するものである。
【背景技術】
【０００２】
従来、薬剤等の液体を吹き付けるためにスプレー容器が使用されている。
スプレー容器に取り付けられた吹き付け機構であるポンプディスペンサには、  例えばトリガースプレーが使用されている。
これは、ベース体に対して翼片状のトリガーを回動自在に取り付け、該トリガーを引くことによりポンプ（シリンダ及びピストンよりなる）を作動させ、その圧縮力によりノズルから容器内の液体を外に噴射させる方式のものである。
【０００３】
図８、図９及び図１０は、その従来の主なるトリガースプレーの一例を具体的に示したものであり、図８は構造を示す断面図、図９は外観図、図１０は掴み方を示す図である。
トリガースプレーＸ１は、ベース体１０１に対してトリガー１０２を回動可能に枢着し、該トリガー１０２を引くことによりベース体１０１の一部であるシリンダー部１１３内の液体をピストン１０４により圧縮してノズル１０６から容器内の液体を外に噴射させることができる構造である。
【０００４】
すなわち、トリガースプレーＸ１は、容器本体の口部Ｙ１に取り付けられた口キャップ１０７と、該口キャップ１０７に支持固定されたベース体１０１とベース体１０１の一部である第１バルブケース部１１１に装着されたチューブ１１０と、第１バルブケース部１１１に内挿された１次バルブ１０８と、ベース体１０１に嵌め込まれたカバー１０５及びノズル１０６と、ベース体１０１の一部であるシリンダー部１１３内を摺動するピストン１０４と、該ピストン１０４を押圧するためにベース体１０１に取り付けられたトリガー１０２と、該トリガー１０２をベース体１０１に弾圧支持するためのバネ体１０３と、前記ノズル１０６とベース体１０１との間に装着された２次バルブ１０９とを備える。
【０００５】
このトリガースプレーＸ１により、液体を噴射するためには、図１０に示すように、容器本体の口部付近に親指と人差し指の間を当て他の指をトリガー１０２に掛けて、強くトリガー１０２を引き込む。
引き込まれたトリガー１０２は、ベース体の支軸部１１８を支点として回動しピストン１０４を押圧する。
ピストン１０４は、押圧されてシリンダー内を摺動し充填されている液体を圧縮する。
圧縮圧を受けた液体は、シリンダーに通じる第２バルブケース部１１２を通ってノズル先端より外に噴射される。
【０００６】
以上示したトリガースプレーＸ１は、ピストンが水平移動式のものであるが、上下移動式のものも上市されている（特許文献１）。
いずれにしろ、このような構造のトリガースプレーは、トリガーに直接指を当てて引き込み操作を行うものである点で共通している。
しかしトリガー自体は回動して弧状の軌跡を描くことから、それを操作するための指も同様に弧状に動かす必要があり人間工学的に見て必ずしも好適ではない。
まして指やトリガーが濡れている場合等には指とトリガー表面との間に滑りが生じて力の伝達が悪い。
他方、このような構造のトリガースプレーにおいては、キャップから上の部分でトリガー以外はカバーに覆われているが、下方は開放された状態となっている。
【０００７】
そのため、トリガースプレーをスプレー用の容器に取り付けた状態では、キャップは露出し、容器の口部のまわりにはトリガーが翼状に大きく張り出して位置することから突出した状態となる。
このような構造のものでは、トリガーは不用意に他部材に接触し易い。
また、口キャップ１０７とトリガー１０２との間にものが挟まり易い。
【０００８】
更に、図１０に示すように、トリガースプレーを握って回動させた場合（容器の口部付近を親指と人差し指の間で挟みトリガーを親指以外の指で握る方法）、引き込む距離が各々の指ごとに異なるので力の伝達効率が悪い。
【０００９】
【特許文献１】特開２００３−１６４７７９号公報
【発明の開示】
【発明が解決しようとする課題】
【００１０】
本発明はかかる実状を背景に、上記の問題点を克服することを意図したものである。
すなわち、本発明は、指をトリガーの回動に合わせて弧状に動かす必要は全く無く操作が楽であり、且つトリガーが外部に突出するようなことがないトリガースプレーを提供することである。
【課題を解決するための手段】
【００１１】
かくして、本発明者は、このような課題背景に対して、鋭意研究を重ねた結果、トリガーをスライダーという別体の部品を介してカム機構により動かすことにより、指の操作が極めて簡単になることを見出し、この知見に基づいて本発明を完成させたものである。
【００１２】
即ち、本発明は、（１）、トリガーを回動移動させることによりピストンを押して容器に通じるシリンダー内の液体をピストンの中を通してノズル口より噴射させるトリガースプレーであって、トリガーの回動移動は該トリガーとは別体のスライダーを介して行うトリガースプレーに存する。
【００１３】
また、本発明は、（２）、トリガーは、容器の口部に取り付けられるベース体に形成された支柱部に回動可能に取り付けられており、該ベース体にはシリンダーが備わっているトリガースプレーに存する。
【００１４】
また、本発明は、（３）、トリガーの回動移動はトリガーの先端に接するスライダーを水平移動することにより行い、該スライダーはベース本体に沿って水平移動可能に取り付けられているトリガースプレーに存する。
【００１５】
また、本発明は、（４）、スライダーの壁面にトリガーの先端である自由端が案内されて移動するものである上記（１）記載のトリガースプレーに存する。
【００１６】
また、本発明は、（５）、スライダーは、指を当てる指当て部と突起部を有し該突起部がベース体に形成されたスリットに装着されそれに沿って移動するものである上記（１）記載のトリガースプレーに存する。
【００１７】
また、本発明は、（６）、ベース体に該ベース体、スライダー、トリガー、ピストンを覆うハウジングが取り付けられている上記（１）記載のトリガースプレーに存する。
【００１８】
また、本発明は、（７）、ハウジングには、ノズルを露出させるための通孔及びスライダーを露出するための切り欠き部を有し、該切り欠き部は指当て部の水平移動を許す範囲で形成されている上記（１）記載のトリガースプレーに存する。
【００１９】
また、本発明は、（８）ハウジングには切り欠き部の一部を塞ぐように障害板が切り離し可能に設けられており該障害板を切り離して取り除くことによりスライダーが移動可能状態となる上記（７）記載のトリガースプレーに存する。
【００２０】
また、本発明は、（９）、トリガーの先端との間にて支持柱とピストンを挟むようにバネ体が配設され、該バネ体がトリガーと一体化されている上記（１）記載のトリガースプレーに存する。
【００２１】
また、本発明は、（１０）、ハウジングの周囲は３０ｃｍ以内とする上記（１）記載のトリガースプレーに存する。
【００２２】
また、本発明は、（１１）、上記請求項（１）〜（１０）のいずれか１項に記載のトリガースプレーを備えたスプレー容器に存する。
【００２３】
本発明はこの目的に沿ったものであれば、上記１〜１０の中から選ばれた２つ以上を組み合わせた構成も当然採用可能であり、そのようなトリガーを備えたトリガースプレーを有するスプレー容器も同様に採用可能である。
【発明の効果】
【００２４】
本発明のトリガースプレーは、トリガーの回動移動はカム機構により行うものであり、トリガーとは別体であるスライダーを水平移動することによりトリガーが回動移動するものである。
そのため、指の動きは直線状となり、従来のように、トリガーの運動に合わせて弧状に動かす必要が無く、操作が簡単で楽である。
またトリガーは外部に突出しないため引っ掛けるようなことが無く安全である。
【００２５】
またトリガーが突出した状態で露出していないので不用意に他から力が加わりにくく、液漏れ等の危険がない。
更にまた積み上げ等ができ保管し易い。
ハウジングの切り欠き部に障害板を切り離し可能に設けたので、使用前の不用意なスライダーの動きを防止できて安全である。
【発明を実施するための最良の形態】
【００２６】
〔第１の実施の形態〕
本発明の原理を図１の模式図に示す。
図からわかるように、本発明のトリガースプレーＸは、トリガー４を回動移動させることにより、それに連結されたピストン２を押して（図では垂直移動させて）図示しない容器に通じるシリンダー１１内の液体をピストン２の中を通してノズル口より噴射させる構造であり、トリガー４の回動移動はそれとは別体であるスライダー３を介したカム機構により行うものである。
【００２７】
このカム機構は、トリガー４の自由端がスライダー３の壁面に接して移動する構造であり、このことによりトリガー４が回動し、それに連結されているピストン２が移動する。
【００２８】
以下、本発明のトリガースプレーＸの具体例を挙げて全体構造について説明する。
図２は、本発明のトリガースプレーＸが取り付けられた液体容器Ｙを示す外観図であり、（Ａ）は正面図、（Ｂ）は側面図、また（Ｃ）は平面図を示す。
【００２９】
図３は、本発明のトリガースプレーの内部構造を説明する図であり、（Ａ）は正面図、（Ｂ）は側面視の内部構造を現す断面図、また（Ｃ）は平面視の内部構造を現す断面図を示す。
【００３０】
トリガースプレーＸとしては、ベース体１、スライダー３、トリガー４、ハウジング５、等の部品を有する。
ベース体１は平面部１４と外周壁１３とよりなる筒蓋状をしており、該外周壁１３は容器Ｙの外面に嵌り込むようになっている。
その平面部１４の中央付近に筒状のシリンダー１１が下方に突出するように形成されており、一方、中央から外れた位置には、支柱部１６が上方に突出するように形成されている。
この突出する支柱部１６は、ハウジング５に形成された受け部５４に装着され安定化する。
【００３１】
また平面部１４にはシリンダー１１の周囲から下方に向けて複数の係止片１２が突設されている。
この係止片１２が容器Ｙの口部に外側から嵌り込むことで、ベース体１と容器Ｙとは一体に固定される。
図ではネジ込みの例を示したが、一旦、嵌り込むと外れない構造、すなわち、はめ殺し構造とすることも可能である。
【００３２】
シリンダー１１には、第一バルブＶ１が配設されており、いわゆる公知の直圧バルブ構造となっている。
またベース体１の平面部１４には後述するスライダー３を案内するためのスリット１５が形成されている。
【００３３】
シリンダー１１内を摺動するピストン２は、上方に延びた後、前方に直角に曲がってノズル部２１を形成しており、その先端がノズル口２１Ｎとなっている。
またノズル部２１の先端にはノズルカバーが開閉自在にヒンジ結合されており、噴射する際にこのノズルカバーは開かれる。
シリンダー１１内の液は圧力が加わることでピストン２の中を通過してノズル口２１Ｎより外部に噴射される。
【００３４】
スライダー３は、Ｕ字状に曲げられた板材よりなり、指当て部３１と突起部３２とを有し該突起部３２はベース体１の平面部１４に形成されたスリット１５に装着されている。
そのためスライダー３は、ベース体１に沿って安定的に水平移動することができる。
またスライダー３は後述するハウジングの内壁に接して移動する。
なお、スライダー３の形状は、垂直な壁面３１Ａを有し且つベース体１に沿って移動できる形状であれば自由である。
【００３５】
図４は、スライダー３、ベース体１、トリガー４、及びバネ体Ｓの取り付け関係を説明する図である。
指当て部３１の裏側の垂直の壁面３１Ａには、後述するトリガー４の自由端４１が圧接しながら移動する（図５参照）。
【００３６】
トリガー４は、くの字状に形成され一方の端がベース体１に突設された支持柱１６に回動自在に取り付けられている。
そしてトリガー４の先端部とベース体１の係止部との間にバネ体Ｓが配設されていて、トリガー４に復帰力を与える。
トリガー４の先端４１（すなわち自由端４１）は前述したようにスライダー３の指当て部３１の裏側にある垂直な壁面３１Ａに接して上下移動する。
【００３７】
この場合、垂直な壁面３１Ａがカム面となり、他方のトリガー４の先端４１がホロワーとなり両者がカム機構として機能する。
この場合、トリガー４の自由端４１は曲面に形成されており、前述の垂直な壁面３１Ａに対して極力少ない面積で接するので摩擦力が低減される。
【００３８】
ハウジング５は、ベース体１、シリンダー１１、ピストン２、スライダー３、トリガー４等を覆うように下方が開口した箱形に形成されている。
この場合、上面視では、図のような楕円状の他、矩形状、長円状に形成することも可能である。
またハウジング５の周囲（トリガースプレーＸの周囲）は、３０ｃｍ以内とすることが握り易さやスライダー３の操作性の観点から好ましい。
【００３９】
ハウジング５には、スライダー３に指を当てトリガースプレーＸを引き込んだ場合、支障がないように、スライダー３の指当て部３１の水平移動を許す範囲で切り欠き部５１が形成されている。
すなわち、この切り欠き部５１により引き込み操作中の指を逃がすことができる。
【００４０】
またハウジング５には、切り欠き部５１より上方にはノズル口２１Ｎを露出するように液噴射のための通孔５２が形成されている。
【００４１】
更にまた、ハウジング５には切り欠き部５２の一部を塞ぐように障害板５３が設けられている。
スライダー３を正面から見て、遮るように障害板５３が存在することで、指等を、直接、スライダー３の指当て部に接触できない。
この障害板５３の存在によりスライダー３が不用意に動く危険を避けることができる。
そして障害板５３は薄肉部５３Ａを介して切り離し可能になっているので、使い始めの最初にトリガースプレーを使用する場合は、この障害板５３を引っ張って切り離し除去することが必要である。
障害板５３が取り除かれるとスライダー３の指当て部３１が露出するので指で操作が可能となるのである。
【００４２】
ハウジング５を装着した状態では、容器本体Ｙの周囲と面一となるようになっており、全体として図２に示したような上面視で楕円状のシンプルな形となる。
このような形は、外部に突出した部分がないので、他材部に引っ掛けるようなことがない。
また、保管しておく場合に、積み上げが可能で効率よく並べることができる。
また先述したようにハウジング５の天井壁には受け部５４が設けられており、この受け部５４にベース体の支柱部１６が装着されることでベース体は強固に固定する。
【００４３】
さて、このような構造のトリガースプレーＸにおいて、ノズルから容器本体内の液体を噴射させる手順を次に述べる。
まず、トリガースプレーＸを使用可能な状態にするため、ハウジング５から障害板５３を取り外す（図２参照）。
そしてノズルカバー２１Ａを開く。
【００４４】
この状態では、前方から見ると、全面ハウジング５に形成された切り欠き部５１からスライダー３が露出し、またノズル口２１Ｎも露出する。
【００４５】
次にシリンダー１１内に液体が充填されている状態（初期状態）でトリガースプレーＸを握り、スライダー３の指当て部３１に指を当てて引き込む操作を行う（図２参照）。
すると、スライダー３は水平移動を開始し図でいう右方向に移動する。
この時、指当て部３１の裏側の垂直な壁面３１Ａに接しているトリガー４の自由端４１は壁面３１Ａに沿って下方に移動する（図５参照）。
【００４６】
図５は、スライダー３の指当て部３１とトリガー４との関係を説明する図である。
スライダー３が水平移動するとトリガー４は回動移動する［図５の（Ａ）→（Ｂ）→（Ｃ）］。
すなわち、カム機構［指当て部３１の裏側の垂直な壁面３１Ａがカム面となり、トリガー４の先端４１（すなわち自由端）は、ホロワーとなる］によりスライダー３からトリガー４に力が伝達され水平移動から垂直移動に変わる。
【００４７】
ここでトリガー４の先端４１がスライダー３の壁面３１Ａに沿って移動する際の移動は、相対的に下方移動であるが、絶対的にはトリガー４の先端４１は回動運動を行い、その先端の軌跡は弧状となる。
【００４８】
このように、本発明における指の動きは、スライダー３の動きと同じ直線となるため、極めて操作が単純であり且つ楽である。
従来のトリガースプレーＸ１のように、トリガーに合わせて同じ様に弧状に動かす必要がない。
指がスライダー３を真っ直ぐに押すので、指やトリガー４が濡れている場合にも指とスライダー表面との間に滑りは全く生じなく、力の伝達が極めて効率的である。
スライダー３の動きによりトリガー４は回動され、ピストン２が押し下げられてシリンダー１１内にある液体は圧縮される。
【００４９】
図６は、トリガー４を引き込んだ後のトリガースプレーＸの構造を説明する図であり、（Ａ）は正面図、（Ｂ）は側面視の内部構造を現す断面図、また（Ｃ）は平面視の内部構造を現す断面図を示す。
シリンダー内で圧縮された液体は、ピストン２の中を通りノズル部２１のノズル口２１Ｎから外に噴射される。
【００５０】
液噴射が終わった後、スライダー３から指を放して押圧力を開放すると、トリガーの先端部付近とベース体１との間に介在しているバネ体Ｓの復帰力によりトリガー４は元の状態に戻ることになる。
この場合、スライダー３（通常、プラスチック製）の幅が、ハウジング５の内壁により縮められており、スライダー３が元の位置に戻る際に同時に復帰力として作用する。
【００５１】
この時、ピストン２の上昇によりシリンダー１１内は、負圧となり容器本体Ｙ内の液体はチューブを通って吸い上げられてシリンダー１１内に充填される（初期状態と同じ状態）。
【００５２】
次に、本発明のトリガースプレーＸの掴み方の例を述べる。
まず、トリガースプレーＸのスライダー３を、吹き付けの対象物に向けた状態で把持する。
具体的には、図２に鎖線で示したように、ハウジング５の切り欠き部５１から露出しているスライダー３（詳しくは指当て部３１）に人差し指や中指を当てた状態でトリガースプレーＸと容器本体Ｙとを同時に握る。
【００５３】
この時、トリガースプレーＸと容器本体Ｙの表面に凹凸が形成されていると指が滑らなく、確実に把持することができる。
また、トリガースプレーＸの周囲（詳しくはハウジング５の周囲）は、前述したように３０ｃｍ以内であるので、人が握るのに握り易い。
【００５４】
〔他の実施の形態〕
図７は、別のトリガースプレーの実施態様例を示した図であり、（Ａ）は正面図、（Ｂ）は側面図、また（Ｃ）は平面図を示す。
この実施の形態は、ハウジング５の後部に手を支えるための支持部５５を備えたものである。
この支持部５５はトリガースプレーＸを指で握った場合（二点鎖線の手参照）、親指と人差し指の間に接して、トリガースプレーＸの重量を支える役割を果たす。
また、その外面は曲線状を呈していることが好ましい。
【００５５】
以上、本発明を説明してきたが、本発明は実施形態にのみ限定されるものではなく、その本質から逸脱しない範囲で、他の色々な変形例が可能である。
トリガースプレーＸを構成する各部品の形状は、実施の形態に限らず、本発明のトリガースプレーＸの機能を達成できるものである限りその変形は自由に可能である。
【００５６】
例えば、カム機構において、指当て部３１の裏側の壁面３１Ａ（カム面）に対するトリガー４の自由端４１（ホロワー）は、スライダーの壁面３１Ａにトリガー４の自由端４１が摺接し移動できれば良い。
【００５７】
また、このハウジング５は、シリンダー１１、ベース体１、スライダー３、トリガー４、バネ体Ｓ等を覆うように下方が開口した上方視で楕円形の箱状に形成されているが、上方視で矩形の箱状に形成しても良い。
またバネ体Ｓは、コイルバネでも良く、要はトリガーに復帰力を与えるものであれば採用可能である。
当然、シリンダー１１内に設けたバネ体Ｓでも良い。
【００５８】
更にバネ体は、トリガー４と一体化すると部品数が少なくなる利点がある。
実施の形態では、スライダー３の突起部３２がベース体１のスリット１５に装着され移動する例で示したが、スライダー３のベース体に対する当接面に底面壁を設けて該底面壁にスリットを形成し、ベース体に設けた突起がそのスリットに嵌る構造としても良く、要はスライダー３がベース体１に沿って移動できる構造であれば採用可能である。
またベース体１に突設された係止片１２を容器の口部に螺合により取り付けるようにしても良い。
【図面の簡単な説明】
【００５９】
【図１】図１は、本発明のトリガースプレーの原理を示した模式図である。
【図２】図２は、本発明のトリガースプレーを備えた液体容器全体を示す図であり、（Ａ）は正面図、（Ｂ）は側面図、（Ｃ）は平面図を示す。
【図３】図３は、本発明のトリガースプレーの内部構造を説明する図であり、（Ａ）は正面図、（Ｂ）は（Ａ）の側面視の内部構造を現す断面図、（Ｃ）は（Ａ）の平面視の内部構造を現す断面図を示す。
【図４】図４は、スライダーとベース体及びトリガーの取り付け関係を説明する図である。
【図５】図５は、スライダーの指当て部とトリガーの先端との関係を説明する図である。
【図６】図６は、トリガーを引き込んだ後のトリガースプレーの構造を説明する図であり、（Ａ）は正面図、（Ｂ）は側面視の内部構造を現す断面図、（Ｃ）はＡ）の構造を現す断面図を示す。
【図７】図７は別のトリガースプレーの実施態様例を示した図であり、（Ａ）は正面図、（Ｂ）は側面図、（Ｃ）は平面図を示す。
【図８】図８は、その従来の主なるトリガースプレーの構造を具体的に示した断面図である。
【図９】図９は、その従来のトリガースプレーの外観図を示す図である。
【図１０】図１０は、その従来のトリガースプレーの掴み方を示す図である。
【符号の説明】
【００６０】
１…ベース体
１１…シリンダー
１２…係止片
１３…外周壁
１４…平面部
１５…スリット
１６…支柱部
２…ピストン
２１…ノズル部
２１Ａ…ノズルカバー
２１Ｎ…ノズル口
３…スライダー
３１…指当て部
３１Ａ…壁面
３２…突起部
４…トリガー
４１…先端（自由端）
５…ハウジング
５１…切り欠き部
５２…通孔
５３…障害板
５３Ａ…薄肉部
５５…支持部
Ｖ１…第１バルブ
Ｖ２…第２バルブ
Ｓ…バネ体
Ｘ、Ｘ１…トリガースプレー
Ｙ…容器本体、スプレー容器、液体容器
【図１】
2008114103.tif 000003
【図２】
2008114103.tif 000004
【図３】
2008114103.tif 000005
【図４】
2008114103.tif 000006
【図５】
2008114103.tif 000007
【図６】
2008114103.tif 000008
【図７】
2008114103.tif 000009
【図８】
2008114103.tif 000010
【図９】
2008114103.tif 000011
【図１０】
2008114103.tif 000012